(57)【特許請求の範囲】
【請求項１】
円盤状記録媒体が回転自在に収納されるとともに、この円盤状記録媒体の主面の一部を径方向に亘って外方に臨ませる記録再生開口部が設けられたカートリッジ本体と、
上記記録再生開口部を開閉するシャッタ部と、このシャッタ部と直交する方向に連設されることによって上記カートリッジ本体の一方側面と対向されるとともに記録再生装置のシャッタ駆動部材が係合する係合穴が設けられた連結部と、この連結部の一方側縁に一体に連設されるとともに上記シャッタ部と平行な係合片が折曲形成されたスライドガイド部とを有し、上記カートリッジ本体に移動自在に組み合わされたシャッタ部材と、
上記カートリッジ本体の内部に配設され、上記シャッタ部が上記記録再生開口部を閉塞した状態で上記係合片と相対係合することによって上記シャッタ部材をロックするロック部材とを備え、
上記係合片の基端部側には、上記係合片とともに上記スライドガイド部から折曲され、
上記係合片の基端部側を当該シャッタ部材の上記カートリッジ本体に対する移動方向の幅を幅広にして上記係合片の基部を補強する補強部が一体に形成されていることを特徴とするディスクカートリッジ。
【請求項２】
上記シャッタ部材は、アルミニウム板を素材として形成されたことを特徴とする請求項１記載のディスクカートリッジ。
【発明の詳細な説明】
【０００１】
【発明の属する技術分野】
本発明は、楽音信号や映像信号等の情報信号等の記録、或いは記録された情報信号等の再生を可能とする光ディスク、光磁気ディスク等の円盤状記録媒体（以下、ディスクという）が回転自在に収納されたディスクカートリッジに関する。
【０００２】
【従来の技術】
楽音信号や映像信号等の情報信号の記録及び／又は再生を可能とするディスク１０５は、従来、図６に示すようにディスクカートリッジ１０１に収納されて提供されている。即ち、ディスクカートリッジ１０１は、上ハーフ１０２と下ハーフ１０３とが組み合わされてカートリッジ本体１０４が構成され、このカートリッジ本体１０４の内部に構成されたディスク収納部にディスク１０５が回転自在に収納されてなる。ディスク１０５は、このディスクカートリッジ１０１が記録再生装置に装着されると、ディスク回転駆動装置のディスクテーブルと結合されて回転駆動される。
【０００３】
カートリッジ本体１０４には、ディスク収納部に回転自在に収納されたディスク１０５の少なくとも情報信号の記録領域の一部を内外周に亘って外方へと臨ませる記録再生開口部１０６が設けられている。また、カートリッジ本体１０４には、この記録再生開口部１０６を介して内部に侵入した塵埃等が収納されたディスク１０５の表面に付着することを防止するために、記録再生開口部１０６を閉塞、開放する２位置に亘って移動動作されるシャッタ部材１０７が組み付けられている。カートリッジ本体１０４には、その一方側面１０４ａ（以下、前面という。）に、後述するように記録再生装置側のシャッタ開放部材１０９ａが係合するシャッタ開放ガイド溝１０４ｂが形成されている。
【０００４】
シャッタ部材１０７は、例えばステンレス等の薄い金属板を材料として、この金属材料板に外形抜き加工、折曲げ加工或いは切断加工等を施して形成される。シャッタ部材１０７は、図７に示すように、上ハーフ１０２及び下ハーフ１０３にそれぞれ設けた記録再生開口部１０６を閉塞、開放する互いに平行に対峙するシャッタ部１０７ａ、１０７ｂと、これらシャッタ部１０７ａ、１０７ｂの基端部を連結する連結部１０７ｃとを備え、全体として断面コ字状を呈している。また、このシャッタ部材１０７には、その連結部１０７ｃの一側部に、カートリッジ本体１０４の前面１０４ａに沿って平行にスライド動作し得るように案内するスライドガイド部１０７ｄが一体に形成されている。
【０００５】
連結部１０７ｃには、後述する記録再生装置側のシャッタ閉塞部材１０９ｂが係合する係合穴１０７ｅが設けられている。連結部１０７ｃには、スライドガイド部１０７ｄの自由端側に位置して係合片１０７ｆが形成されている。係合片１０７ｆは、スライドガイド部１０７ｄの上縁からシャッタ部１０７ａと平行に折曲形成されてなり、後述するカートリッジ本体１０４側に設けられるロック部材１０８が係合する。以上のように構成されたシャッタ部材１０７は、シャッタ部１０７ａ、１０７ｂが、記録再生開口部１０６に延在するようにしてカートリッジ本体１０４の前面１０４ａ側から組み合わされる。
【０００６】
ところで、カートリッジ本体１０４には、図６に点線で示すように、前面１０４ａを構成する下ハーフ１０３の前面１０３ａの一方コーナ部１０１ａに位置して、合成樹脂製のシャッタロック部材１０８が配設されている。このシャッタロック部材１０８は、シャッタ部１０７ａ、１０７ｂによって記録再生開口部１０６を閉塞した状態にあるシャッタ部材１０７が、不用意に移動動作されて記録再生開口部１０６を開放状態としないように保持する。
【０００７】
シャッタロック部材１０８は、基端側に下ハーフ１０３への取付部１０８ａが形成されるとともに、この取付部１０８ａから略Ｕ字状に一体に突出形成されたロックアーム部１０８ｂとから構成されている。ロックアーム部１０８ｂは、弾性変位可能であり、先端部には係合凹部１０８ｃが形成されている。そして、シャッタロック部材１０８は、ロックアーム部１０８ｂの係合部１０８ｃがカートリッジ本体１０４の前面１０４ａに臨むようにして、下ハーフ１０３に取り付けられている。シャッタロック部材１０８は、シャッタ部１０７ａ、１０７ｂが記録再生開口部１０６を閉塞した状態において、ロックアーム部１０８ｂの係合部１０８ｃとシャッタ部材１０７の係合片１０７ｆとが相対係合することにより、シャッタ部材１０７をロック状態に保持する。
【０００８】
【発明が解決しようとする課題】
ディスクカートリッジ１０１は、上述したようにシャッタ部１０７ａ、１０７ｂが記録再生開口部１０６を閉塞した状態において、シャッタロック部材１０８の係合部１０８ｃと係合片１０７ｆとが相対係合することによってシャッタ部材１０７をロック状態に保持する。このため、ディスクカートリッジ１０１は、落下等による衝撃が加えられたり不用意な取り扱いが行われたりした場合にも、シャッタ部材１０７による記録再生開口部１０６の閉塞状態が確実に保持されるように構成されている。
【０００９】
ところが、シャッタ部材１０７は、上述したように係合片１０７ｆがスライドガイド部１０７ｄの上端部から水平にカートリッジ本体１０４側に折曲形成された構造であるから、衝撃等が加えられた場合に、図８に示すように、折曲部分から内方へと折れ曲がってしまうことがあった。このため、ディスクカートリッジ１０１は、シャッタ部材１０７が、この係合片１０７ｆとシャッタロック部材１０８の係合部１０８ｃとの係合状態が解除されることから容易に移動動作し、記録再生開口部１０６が開放されるといった事態が発生することがあった。ディスクカートリッジ１０１は、このため開放された記録再生開放部１０６からカートリッジ本体１０４の内部に塵埃等が進入してディスク１０５に付着したり、外方に露呈されたディスク１０５が傷つけられるといった不都合が生じる。
【００１０】
一方、ディスクカートリッジ１０１においては、コストの低減或いは軽量化等を目的として、シャッタ部材１０７をアルミニウム材によって形成したり合成樹脂によって成形することが検討されている。ディスクカートリッジ１０１は、これら素材によってシャッタ部材１０７を形成した場合に、ステンレス製のシャッタ部材１０７に比較して機械的強度がやや小さいことから、上述した係合片１０７ｆの変形或いは破損といった問題がさらに発生し易くなる。
【００１１】
従って、本発明は、落下等の衝撃が加えられた場合においても、係合片の変形等が抑制されて、シャッタ部材が記録再生開口部を閉塞した状態に確実に保持されるようにしたディスクカートリッジを提供することを目的に提案されたものである。
【００１２】
【課題を解決するための手段】
この目的を達成する本発明に係るディスクカートリッジは、ディスクが回転自在に収納されるとともに、ディスクの一部を径方向に亘って外方に臨ませる記録再生開口部が設けられたカートリッジ本体と、このカートリッジ本体に移動自在に組み合わされたシャッタ部材とを備える。ディスクカートリッジは、カートリッジ本体にロック部材が設けられるとともにシャッタ部材に係合片が設けられ、これらロック部材と係合片とが相対係合することによりシャッタ部材による記録再生開口部の閉塞状態が保持される。シャッタ部材に設けられた係合片の基端部側には、上記係合片とともに上記スライドガイド部から折曲され、上記係合片の基端部側を当該シャッタ部材の上記カートリッジ本体に対する移動方向の幅を幅広にして上記係合片の基部を補強する補強部が一体に形成されている。
【００１３】
以上のように構成された本発明に係わるディスクカートリッジによれば、補強部によって係合片の機械的強度が向上されることから、落下衝撃等によって係合片が変形してロック部材との係合状態が解除されるといった事態の発生が抑制される。従って、ディスクカートリッジは、開放された記録再生開口部からカートリッジ本体の内部に塵埃等が進入してディスクの主面に付着したり、ディスクが傷つけられたりすることが防止される。更に、ディスクカートリッジは、シャッタ部材を、例えばアルミニウム材や合成樹脂によって形成した場合にも、このシャッタ部材のロック状態が確実に保持されるようになる。
【００１４】
【発明の実施の形態】
以下、本発明の実施の形態を図面を参照しながら説明する。実施の形態として示す、ディスクカートリッジ１は、図１に示すように、合成樹脂材料等によって略方形の浅皿状に成形した上ハーフ２と下ハーフ３とを組み合わせて構成したカートリッジ本体４を備えている。このカートリッジ本体４には、上ハーフ２と下ハーフ３の相対する主面に立設した環状壁が突き合わされてディスク収納部６が構成されている。このディスク収納部６には、光ディスク５が回転可能に収納されている。
【００１５】
下ハーフ３には、その略中央部に位置して円形の開口部７が設けられている。この開口部７は、ディスクカートリッジ１を記録再生装置のカートリッジ装着部に装着したとき、カートリッジ本体４に収納した光ディスク５を駆動する記録再生装置のディスクテーブルが進入するディスク進入用開口部として機能する。この開口部７は、カートリッジ本体４に収納された光ディスク５のセンタ孔を閉塞して設けられるマグネットクランプ用の金属板８を外方に臨ませる。
【００１６】
また、上ハーフ２及び下ハーフ３には、ディスク収納部６に回転自在に収納された光ディスク５の少なくとも信号領域の一部を内外周に亘って外方に臨ませる記録再生開口部９（９ａ、９ｂ）が、それぞれ相対向して設けられている。これら記録再生開口部９は、図１に示すように、開口部７に近接する位置からカートリッジ本体４の一方側面３３（以下、前面３３という）に亘ってカートリッジ本体４の左右方向の略中央に位置して矩形に形成されている。
【００１７】
カートリッジ本体４には、その前面３３に、図２に示すように、後述するシャッタ開放部材３１及びシャッタ閉塞部材３２が進入するシャッタ駆動ガイド溝１０が形成されている。このシャッタ駆動ガイド溝１０は、カートリッジ本体４の前面３３に直交する一方側面１０ａに開口端を有し、後述するシャッタ部材１３の移動方向の全域に亘る水平溝として形成されている。また、下ハーフ３には、シャッタ駆動ガイド溝１０の前方位置に、後述するようにシャッタ部材１３が安定してスライド動作するためのガイド壁１１が設けられている。
【００１８】
一方、上ハーフ２には、シャッタ駆動ガイド溝１０内に位置して突合わせ壁１２が設けられている。この突合わせ壁１２は、上記記録再生開口部９の前端縁側の内側面に位置して設けられており、下ハーフ３の内側面と突き合わされてシャッタ駆動ガイド溝１０部分におけるカートリッジ本体４の厚み方向のたわみの発生を防止している。
【００１９】
カートリッジ本体４には、記録再生開口部９から内部に塵埃等が侵入して収納された光ディスク５に付着することを防止し、或いは光ディスク５の傷つきを防止するために、未使用時には記録再生開口部９を閉塞状態に保持するシャッタ部材１３が組み付けられている。シャッタ部材１３は、アルミニウム材を素材として形成され、図３に示すように、互いに平行に対峙する一対のシャッタ部１４、１５と、これらシャッタ部１４、１５の基端側を連結する連結部１６とからなり、全体として断面コ字状をなすように形成されている。
【００２０】
シャッタ部１４、１５は、図１において、記録再生開口部９を閉塞するに足る外形寸法を有する矩形に形成されている。連結部１６は、高さ寸法がカートリッジ本体４の厚み寸法よりもやや大とされ、その両側面に第一のスライドガイド部１７と第二のスライドガイド部１８とがそれぞれ同一面を構成して一体に形成されている。連結部１６には、第一のスライドガイド部１７に連設されて第三のスライドガイド部１９が形成されている。
【００２１】
スライドガイド部１７、１８は、それぞれ高さ寸法がガイド壁１１の高さ寸法よりもやや大とされており、断面コ字状を呈している。第一のスライドガイド部１７は、シャッタ部材１３の開閉方向の幅寸法が、記録再生開口部９を閉塞した状態において下ハーフ３側のガイド壁１１ａに約１．５ｍｍ程度オーバラップするように形成されている。スライドガイド部１７は、シャッタ部材１３、下ハーフ３の寸法公差及び後述するシャッタロック部材２３とシャッタ部材１３との係合ガタを考慮しても、ガイド壁１１ａから外れない最低限の寸法を以って形成されている。
【００２２】
連結部１６には、その略中央部に位置してシャッタ閉塞部材係合穴１６ａが設けられている。このシャッタ閉塞部材係合穴１６ａには、ディスクカートリッジ１が記録再生装置のカートリッジ装着部に装着された際に、この記録再生装置側のシャッタ閉塞部材３２が相対係合する。
【００２３】
第三のスライドガイド部１９には、図３及び図４に示すように、連結部１６から水平方向に折曲されて係合片２０が形成されている。係合片２０は、連結部１６側の側面に後述するようにシャッタロック部材２３の係合凹部２５ａと相対係合する係合凹部１９ａを構成する。係合片２０は、その側端部２０ａが略４分の１の円弧状を呈して形成されている。係合片２０は、第三のスライドガイド部１９からの突出量が後述するシャッタロック部材２３の係合凹部２５ａと相対係合できる程度を以って形成されている。
【００２４】
第三のスライドガイド部１９には、係合片２０とともに補強部２１が一体に折曲形成されている。すなわち、シャッタ部材１３は、第三のスライドガイド部１９にその上縁から係合片２０を折曲形成する際に、折曲部位であるその基端部２０ｂが連結部１６側に延長されてスライド方向に幅広に折曲することによって補強部２１を一体に形成してなる。したがって、係合片２０は、このように補強部２１が一体に形成されることによって、その基端部２０ｂがスライド方向に幅広に構成されて機械的強度の向上が図られる。係合片２０は、ディスクカートリッジ１を誤って落下させた場合にも、その衝撃によって基端部２０ｂが内方へと折れ曲がるといった事象の発生が抑制される。なお、係合片２０は、落下衝撃テストの結果から基端部の幅寸法が４．５ｍｍ以上であることが好ましい。
【００２５】
以上のように構成された係合片２０ａは、シャッタ部材１３をカートリッジ本体４に取り付けた際、このカートリッジ本体４の前面３３に形成したシャッタ開放ガイド溝１０に挿入されるとともに、後述するカートリッジ本体４内に配設されるシャッタロック部材２３に相対係合する。
【００２６】
シャッタ部材１３は、第一スライドガイド部１７及び第二のスライドガイド部１８とによって下ハーフ３に立設したガイド壁１１を上下から挟持するようにしてカートリッジ本体４に組み合わされる。シャッタ部材１３は、ディスクカートリッジ１が記録再生装置のカートリッジ装着部に挿脱操作されることによって、シャッタ部１４、１５によって記録再生開口部９を閉塞する閉塞位置と、この記録再生開口部９を開放する開放位置との２位置に亘ってカートリッジ本体４に沿ってスライド動作される。
【００２７】
カートリッジ本体４の上ハーフ２と下ハーフ３の主面には、シャッタ部１３が移動する記録再生開口部９の周縁から一方の側面に亘る領域及びカートリッジ本体４の前面３３に亘って、シャッタ部材１３の厚さとほぼ等しい深さのシャッタスライド凹部２２が設けられている。このシャッタスライド凹部２２は、シャッタ部材１３をカートリッジ本体の上下主面と面一となって組み付けることを可能とする。従って、ディスクカートリッジ１は、シャッタ部材１３をカートリッジ本体４に組み付けることによる厚み寸法の増大が防止されている。
【００２８】
カートリッジ本体４には、組み付けたシャッタ部材１３で記録再生開口部９を閉塞した閉塞位置に保持するシャッタロック部材２３が備えられている。シャッタロック部材２３は、合成樹脂材料等によって成形されており、枢支部２４と、この枢支部２４から互いに対向するようにして一体に設けられたロックアーム部２５及び弾性変位部２６とから構成され、全体略Ｕ字状に形成されている。枢支部２４は、基端部にカートリッジ本体４を構成する下ハーフ３の内面に立設した支持軸３ａに挿通される挿通孔が設けられている。
【００２９】
また、ロックアーム部２５は、図５に示すように、シャッタロック部材２３がカートリッジ本体４に組み付けられた状態において、シャッタ駆動ガイド溝１０に臨む側面に係合凹部２５ａが設けられている。この係合凹部２５ａは、シャッタ部材１３が記録再生開口部９を閉塞した状態において、このシャッタ部材１３に形成した係合片２０が相対係合する。これによって、シャッタ部材１３は、シャッタ部１４、１５によって記録再生開口部９を閉塞した開口部閉塞位置で、シャッタロック部材２３によってロック状態に保持される。なお、弾性変位部２６は、シャッタロック部材２３がカートリッジ本体４に組み付けられた状態において、その先端部が下ハーフ３に立設した立壁と係合される。
【００３０】
カートリッジ本体４には、シャッタロック２３を支持する支持軸３ａが設けられたコーナ部１ａと対角位置の下ハーフ３の一方コーナ部１ｂに、誤記録防止部材２７が配設されている。誤記録防止部材２７は、合成樹脂材料等によって全体として略Ｅ字状に成形されており、下ハーフ３に沿って第一の位置２８及び第二の位置２９に切換操作されることによって、この下ハーフ３に設けた誤記録検出穴３０を閉塞及び開放する。
【００３１】
従って、ディスクカートリッジ１は、誤記録防止部材２７が誤記録検出穴３０を閉塞した第一の位置２８に設定された状態においては、例えば記録再生装置側に配設される誤記録検出手段の誤記録検出穴３０への進入が阻止され、光ディスク５への情報信号の記録を可能な状態とする。また、ディスクカートリッジ１は、誤記録防止部材２７が誤記録検出穴３０を開放した第二の位置２９に設定された状態においては、例えば記録再生装置側に配設される誤記録検出手段が誤記録検出穴３０へ進入し、光ディスク５への情報信号の記録を不能な状態にする。
【００３２】
以上のように構成したディスクカートリッジ１は、カートリッジ本体４の上面に設けた挿入方向指示マークに従って、記録再生装置内に配設したカートリッジホルダ等を備えたカートリッジ装着部に挿入される。ディスクカートリッジ１には、この挿入操作によって、シャッタ駆動ガイド溝１０の開放端１０ａから記録再生装置側に設けたシャッタ開放部材３１が、カートリッジ本体４の前面部３３に形成したシャッタ駆動ガイド溝１０に進入する。そして、シャッタ開放部材３１は、ディスクカートリッジ１が更にカートリッジ装着部へと挿入されるにしたがい、シャッタロック部材２３のロックアーム部２５の基端側外側面から先端側に向かって乗り上がり、ロックアーム部２５をカートリッジ本体４の内方へと押圧する。
【００３３】
シャッタロック部材２３は、このシャッタ開放部材３１によるロックアーム部２５のカートリッジ本体４の内方側への押圧動作に伴い、支持軸３ａに枢支された枢支部２４を中心として、図５において、時計方向へと回動動作する。シャッタ部材１３は、このシャッタロック部材２３の回動動作により、その係合片２０とシャッタロック部材２３の係合凹部２５ａとの係合状態が解除されて、カートリッジ本体４に対して移動可能な状態になる。
【００３４】
シャッタ部材１３は、シャッタロック部材２３によるロック状態が解除された後、ディスクカートリッジ１のカートリッジ装置部への挿入操作に従って、シャッタ開放部材３１に押圧されて記録再生開放部９を開放する方向へとスライド動作する。これによって、ディスクカートリッジ１は、シャッタ部材１３のシャッタ部１４、１５によるカートリッジ本体４の記録再生開口部９が閉塞状態から開放される。シャッタロック部材２３は、シャッタ部材１３が記録再生開口部９を完全に開放する位置までスライド動作されると、シャッタ開放部材３１によるロックアーム部２５への押圧動作が解除される。そして、このシャッタロック部材２３は、枢支部２４を中心に、図５において、反時計方向へと回動復帰してその係合凹部２５ａがシャッタ駆動ガイド溝１０に臨んだ状態となる。
【００３５】
シャッタ閉塞部材３２は、上述したディスクカートリッジ１が記録再生装置のディスク装着部へと挿入されるに従って、シャッタ部材１３の第一のスライドガイド部１７の側端部に当接する。シャッタ閉塞部材３２は、図示しない弾性手段によって、カートリッジ本体４の前面３３側に付勢されている。
【００３６】
従って、第一のスライドガイド部１７の側端部に当接したシャッタ閉塞部材３２は、弾性手段の作用によって第一のスライドガイド部１７の表面側に乗り上がる。そして、シャッタ閉塞部材３２は、シャッタ開放部材３１によるロックアーム部２５への押圧動作によってロックが解除された直後に、先端部がシャッタ部材１３の係合穴１６ａと対応位置し、弾性手段の弾性力によって係合穴１６ａに相対係合する。シャッタ部材１３は、係合穴１６ａとシャッタ閉塞部材３２との係合状態が弾性手段の弾性力によって保持されることによって、記録再生開口部９を開放した状態に保持される。
【００３７】
ディスクカートリッジ１は、記録、再生操作が終了してイジェクト操作が行われると、記録再生装置のカートリッジ装置部から取り出される。この際、シャッタ部材１３は、弾性手段の弾性力によって係合穴１６ａに相対係合する記録再生装置側のシャッタ閉塞部材３２により係止された状態にあるため、カートリッジ本体４に対して相対移動する。そして、シャッタ部材１３は、シャッタ部１４、１５がカートリッジ本体４の記録再生開口部９を閉塞した状態にあり、この記録再生開口部９を閉塞した状態でシャッタロック部材２３によって保持される。
【００３８】
ディスクカートリッジ１は、上述したようにシャッタ部材１３がアルミニウム薄板によって形成されることから、軽量化が図られている。また、ディスクカートリッジ１は、従来のディスクカートリッジ１０１に備えられるステンレス薄板製のシャッタ部材１０７と比較して廉価に形成される。ディスクカートリッジ１は、係合片２０がその材料特性から従来のシャッタ部材１０７の係合片１０７ｆと比較して機械的強度がやや小さくなっている。ディスクカートリッジ１は、係合片２０の基端部２０ｂに補強部２１を一体に形成することにより機械的強度が高められて落下等の衝撃に対して破損や折れ曲がり等の発生が抑制され、シャッタ部材１３のロック状態が確実に保持される。ディスクカートリッジ１は、シャッタ部材１３がアルミニウム薄板によって形成されることにより軽量化が図られることによって、より軽微な操作力を以って駆動されるようになる。
【００３９】
上述した実施の形態は、カートリッジ本体４の内部に光ディスク５を回転自在に収納したディスクカートリッジ１を示したが、本発明はかかるディスクカートリッジ１に限定されるものではない。ディスクカートリッジは、例えば光磁気ディスクや磁気ディスクを回転自在に収納した他のディスクカートリッジにも広く適用される。また、シャッタ部材１３は、連結部１６に対して一対のシャッタ部１４、１５とが形成されて構成されているが、カートリッジ本体の一方側にのみ記録再生開口部が形成されている場合には、一方のシャッタ部がガイド部として作用する。
【００４０】
また、上記実施の形態は、シャッタ部材１３をアルミニウム薄板材によって形成したが、従来のシャッタ部材と比較して軽量かつ廉価な素材、例えば合成樹脂等やマグネシウム薄板材で形成したものであってもよいことは勿論である。
【００４１】
【発明の効果】
以上説明したように、本発明に係るディスクカートリッジよれば、シャッタ部材と一体に形成されシャッタロック部材と相対係合することによりシャッタ部材が記録再生開口部を閉塞した状態に保持されるようにする係合片の基部に補強部を一体に形成したことから、係合片の機械的強度が向上される。したがって、ディスクカートリッジは、落下等の衝撃が加えられた場合にも係合片の破損や折れ曲がり等の発生が抑制され、シャッタ部材を確実に保護して記録再生開口部から塵埃等が内部に侵入してディスクに付着したり外方に露呈されたディスクの記録面が傷つけられるといった不都合の発生が確実に防止される。また、ディスクカートリッジは、例えば廉価で軽量であるアルミニウム薄板等を素材としてシャッタ部材を形成した場合にも信頼性が充分に保持され、軽量化及びコストダウンが図られ、より軽微な操作力により記録再生開口部を閉塞、開放する２位置に亘って円滑にスライド動作させることが可能となる。
【図面の簡単な説明】
【図１】本発明に係るディスクカートリッジの分解斜視図である。
【図２】同デイスクカートリッジの斜視図である。
【図３】同デイスクカートリッジに備えられるシャッタ部材の詳細を示す一部切欠き斜視図である。
【図４】同シャッタ部材に形成された係合片の詳細を示す要部斜視図である。
【図５】同デイスクカートリッジの上ハーフを取り外して示した要部平面図である。
【図６】従来のディスクカートリッジの分解斜視図である。
【図７】同ディスクカートリッジに備えられるシャッタ部材の詳細を示す一部切欠き斜視図である。
【図８】同シャッタ部材に形成された係合片の詳細を示す要部斜視図である。
【符号の説明】
１  ディスクカートリッジ、２  上ハーフ、３  下ハーフ、４  カートリッジ本体、５  ディスク（円盤状記録媒体）、９  記録再生開口部、１３  シャッタ部材、１４、１５  シャッタ部、１６  連結部、１７  第一のスライドガイド部、１８  第二のスライドガイド部、１９  第三のスライドガイド部、２０  係合片、２１  補強部、２３  シャッタロック部材、３１  シャッタ開放部材、３２シャッタ閉塞部材
【図１】
0003900674.tif 000002
【図２】
0003900674.tif 000003
【図３】
0003900674.tif 000004
【図４】
0003900674.tif 000005
【図５】
0003900674.tif 000006
【図６】
0003900674.tif 000007
【図７】
0003900674.tif 000008
【図８】
0003900674.tif 000009